(57)【要約】【課題】ユーザが被写体の画像を常に電子ズーム枠内に収めることを容易にする撮影装置を実現する。【解決手段】本発明の携帯電話機１は、撮影した画像の一部を拡大する機能を備える撮影装置において、追尾対象である被写体の表示画面上における位置である被写体位置を検出する被写体位置検出部４０１と、被写体位置検出部４０１によって検出された被写体が、表示画面上の所定の領域に存在すると、所定の領域に応じて、ユーザが自装置を向けるべき方向を報知する移動方向報知部４０２とを備えているので、ユーザが自装置を向けるべき方向を、あらかじめ認知することができる。よって、被写体の画像が電子ズーム枠内に収まるように、ユーザが自装置の向きを変えるときに、サポートすることができる。【選択図】図１
2008278480.tif 000002
【特許請求の範囲】
【請求項１】
撮影した画像の一部を拡大する機能を備える撮影装置において、
追尾対象である被写体の表示画面上における位置である被写体位置を検出する被写体位置検出手段と、
上記被写体位置検出手段によって検出された被写体位置が、表示画面上の所定の領域に存在すると、該所定の領域に応じて、ユーザが自装置を向けるべき方向を報知する移動方向報知手段とを備えることを特徴とする撮影装置。
【請求項２】
上記移動方向報知手段は、ユーザが自装置を向けるべき方向を、該方向を示す画像を表示画面に表示させることにより報知することを特徴とする請求項１に記載の撮影装置。
【請求項３】
音出力部をさらに備え、
上記移動方向報知手段は、ユーザが自装置を向けるべき方向を、該方向を示す音声を上記音出力部から出力することにより報知することを特徴とする請求項１または２に記載の撮影装置。
【請求項４】
複数の音出力部をさらに備え、
上記移動方向報知手段は、ユーザが自装置を向けるべき方向を、ユーザが自装置向けるべき方向に存在している音出力部から音を発せさせることにより報知することを特徴とする請求項１または２に記載の撮影装置。
【請求項５】
方向表示部を備え、
上記移動方向報知手段は、ユーザが自装置を向けるべき方向を、該方向を示す画像を上記方向表示部に表示させることにより報知することを特徴とする請求項１〜４のいずれか１項に記載の撮影装置。
【請求項６】
複数の方向表示部をさらに備え、
上記移動方向報知手段は、ユーザが自装置を向けるべき方向を、ユーザが自装置向けるべき方向に存在している方向表示部を点灯させることにより報知することを特徴とする請求項１〜４のいずれか１項に記載の撮影装置。
【請求項７】
撮影した画像である撮影画像と、上記撮影画像の一部を拡大した画像である拡大画像との２画像が同時に表示画面に表示され、
上記移動方向報知手段は、上記表示画面の撮影画像上に、上記拡大画像に対応する領域を示す表示を行うとともに、被写体位置に印をつけることにより被写体の移動方向を報知することを特徴とする請求項１〜６のいずれか１項に記載の撮影装置。
【請求項８】
撮影した画像である撮影画像と、上記撮影画像の一部を拡大した画像である拡大画像との２画像が同時に表示画面に表示され、
上記移動方向報知手段は、上記表示画面の拡大画像上の被写体位置に印をつけることにより被写体の移動方向を報知することを特徴とする請求項１〜６のいずれか１項に記載の撮影装置。
【請求項９】
被写体の表示画面上での移動速度を検出する移動速度検出手段を備え、
上記移動方向報知手段は、被写体の移動速度に応じて、ユーザが自装置を向けるべき方向を報知する表示内容を変化させることを特徴とする請求項１〜８のいずれか１項に記載の撮影装置。
【請求項１０】
音出力部と、
被写体の表示画面上での移動速度を検出する移動速度検出手段とを備え、
上記移動方向報知手段は、被写体の移動速度に応じて、ユーザが自装置を向けるべき方向を報知する上記音出力部からの音出力を変化させることを特徴とする請求項１〜８のいずれか１項に記載の撮影装置。
【請求項１１】
被写体の表示画面上での移動速度を検出する移動速度検出手段と、
上記移動速度検出手段が検出した被写体の移動速度に応じて、上記所定の領域を変更する領域変更手段とを備えることを特徴とする請求項１〜８のいずれか１項に記載の撮影装置。
【請求項１２】
撮影した画像の一部を拡大する機能を備える撮影装置を制御する撮影装置制御方法であって、
追尾対象である被写体の表示画面上における位置である被写体位置を検出する被写体位置検出ステップと、
上記被写体位置検出ステップによって検出された被写体位置が、表示画面上の所定の領域に存在すると、所定の領域に応じて、被写体の移動方向を報知する移動方向報知ステップとを含むことを特徴とする撮影方法。
【請求項１３】
請求項１から１１のいずれか１項に記載の撮影装置を動作させる撮影装置制御プログラムであって、コンピュータを上記の各手段として機能させるための撮影装置制御プログラム。
【請求項１４】
請求項１３に記載の撮影プログラムを記録したコンピュータ読み取り可能な記録媒体。
【発明の詳細な説明】
【技術分野】
【０００１】
本発明は、撮影装置に関し、特に電子ズーム機能を備える撮影装置に関するものである。
【背景技術】
【０００２】
従来、画像の撮影を行うビデオカメラ等では、ズーム機能を備えているものが多い。そして、ズーム機能には、光学ズームと電子ズームがある。光学ズームとは、撮影素子とレンズとの間の焦点距離を変更することによって、撮影する画像の領域を変更するものである。一方、電子ズームとは、画像の一部を拡大するものである。
【０００３】
そして、電子ズーム機能を備えたビデオカメラ等の撮影装置では、電子ズームした画像（ズーム画像）を表示画面に表示し、かつ記録していた。
【０００４】
しかし、これでは表示画面にズーム画像のみが表示されるので、撮影の対象である被写体を見失いやすい。
【０００５】
そこで、上記問題を解決するために、撮像素子で撮影した画像(標準画像)とズーム画像との２つの画像を１つの表示画面に表示し、ズーム画像を記録する撮影装置も考えられる。
【０００６】
標準画像とズーム画像との２つの画像を表示画面に同時に表示することで、被写体を捕捉しやすくするものである。
【０００７】
そして、電子ズームでは、標準画像の中央部にある電子ズーム枠の範囲（電子ズーム領域）にある画像を拡大するものである。
【０００８】
よって、電子ズームで被写体を撮影する場合は、常に電子ズーム枠に被写体が入っているように撮影する必要がある。
【０００９】
しかしながら、電子ズームで動きのある被写体を撮影しようとする場合、予想できない被写体の動きに合わせて、それほど広くない電子ズーム枠に、常に被写体が入るように撮影装置を動かすことは容易ではない。また、被写体を見失いやすく、一度被写体を見失うと、再度被写体を補足するのも容易でない。さらに、撮影装置を様々な方向に動かすことは、手ぶれ等の大きな原因ともなる。
【００１０】
これらの問題を解決するために、特許文献１では、標準画像の中央部以外にも電子ズーム枠を設ける技術が開示されている。電子ズーム枠を中央部以外にも設けることによって、被写体を必ずしも標準画像の中央部に入るようにしなくても、電子ズームによる撮影を可能とするものである。被写体の動きに応じて、被写体の入っている電子ズーム枠を選択することによって、電子ズームによる被写体の撮影が可能となる。
【００１１】
また、特許文献２では、被写体を自動追尾し、被写体を見失って自動追尾ができなくなると、被写体を補足できるように追尾手段を駆動するとともに、被写体が不存在であることを表示する技術が開示されている。
【００１２】
なお、特許文献３には、1つの表示装置に、撮影した画像(標準画像)と、撮影した画像の中央部を電子ズームしたズーム画像を同時に表示する技術が開示されている。また、標準画像の中央にズーム画像の表示範囲が示され、アスペクト比や、ズームする倍率を変えることにより、表示範囲が変化させることができる技術が記載されている。
【特許文献１】特開平６−７８１９８号公報（公開日：１９９４年３月１８日）
【特許文献２】特開平７−３０７９５号公報（公開日：１９９５年１月３１日）
【特許文献３】特開平５−２５２４４０号公報（公開日：１９９３年９月２８日）
【発明の開示】
【発明が解決しようとする課題】
【００１３】
しかしながら、上記従来の構成では、下記のような問題を生じる。
【００１４】
すなわち、特許文献１の上記電子ズーム枠を選択する方法では、移動する被写体を追いながら常に電子ズーム枠を移動させる必要がある。これでは、被写体が次にどの方向に移動するのか分からず、電子ズーム枠に被写体を入れる困難さは、従来技術と、さほど変わらない。
【００１５】
また、特許文献２の技術では、被写体が電子ズームの枠から外れたことは分かるが、それ以上のことは分からない。よって、さらに撮影を続ける場合には、ユーザが、何らかの方法で被写体を見つけ出さなければならない。
【００１６】
さらに、特許文献３の表示画面に標準画像とズーム画像との二つの画像を表示するという技術を用い、ズーム画像で被写体を追尾できなくなった時に、標準画像から被写体を見つけ出して追尾するという方法が考えられる。
【００１７】
しかしながら、標準画像の画面には被写体は小さくしか写っておらず、画面上から小さな被写体を探すのは困難である。
【００１８】
本発明は、上記の問題点に鑑みてなされたものであり、その目的は、ユーザが被写体の画像を電子ズーム枠内に容易に収めることができる撮影装置などを実現することにある。
【課題を解決するための手段】
【００１９】
上記課題を解決するために、本発明に係る撮影装置は、撮影した画像の一部を拡大する機能を備える撮影装置において、追尾対象である被写体の表示画面上における位置である被写体位置を検出する被写体位置検出手段と、上記被写体位置検出手段によって検出された被写体位置が、表示画面上の所定の領域に存在すると、所定の領域に応じて、ユーザが自装置を向けるべき方向を報知する移動方向報知手段とを備えることを特徴としている。
【００２０】
上記の構成によれば、追尾対象である被写体の画面上の位置である被写体位置を、上記被写体位置検出手段が検出する。そして、上記検出された被写体位置が、所定の領域に存在すると、上記移動方向報知手段がユーザが自装置を向けるべき方向を報知する。
【００２１】
よって、被写体位置が所定の領域に存在した時に、ユーザは、次に撮影装置をどの方向へ向ければよいかが認識できる。
【００２２】
ここで、所定の領域としては、画像が拡大される領域（電子ズーム領域）よりも小さく、かつ電子ズーム領域の中心を含む領域の枠（追尾枠）を設け、該追尾枠と電子ズーム領域の外枠との間の領域（報知領域Ａ）とすることが考えられる。
【００２３】
所定の領域を上記報知領域Ａとすると、被写体位置が電子ズーム領域の外枠に近いところに存在した場合、上記移動方向報知手段は、ユーザが撮影装置を向けるべき方向を報知する。換言すると、上記移動方向報知手段は、被写体位置が、電子ズーム領域から外れそうになったときに、ユーザが撮影装置を向けるべき方向を報知する。
【００２４】
また、電子ズーム領域の外枠と撮影した画像である撮影画像の外枠との間の領域（報知領域Ｂ）とすることも考えられる。
【００２５】
所定の領域を上記報知領域Ｂとすると、被写体位置が電子ズーム領域の外枠から外側に存在すると、上記移動方向報知手段は、ユーザが撮影装置を向けるべき方向を報知する。換言すると、被写体位置が、電子ズーム領域から外れた場合、ユーザが撮影装置を向けるべき方向を報知する。
【００２６】
さらに、上記報知領域Ａと上記報知領域Ｂとを合わせた領域である、上記追尾枠と撮影画像の外枠との間の領域（報知領域Ｃ）とすることも考えられる。
【００２７】
所定の領域を上記報知領域Ｃとすると、被写体位置が、上記追尾枠より外側に存在すると、上記移動方向報知手段は、ユーザが撮影装置を向けるべき方向を報知する。換言すれば、上記移動方向報知手段は、被写体位置が、電子ズーム領域から外れそうになったときまたは電子ズーム領域から外れた場合、ユーザが撮影装置を向けるべき方向を報知する。
【００２８】
以上のように、ユーザは、被写体位置が電子ズーム領域から外れそうになった場合、または電子ズーム領域から外れた場合に、撮影装置をどちらへ向ければ、被写体の画像を電子ズーム領域に収めることができるかが認識できる。その結果、ユーザは被写体の画像が電子ズーム領域に収まるように撮影装置の向きを変えることを容易に行うことができる。
【００２９】
なお、追尾対象である被写体は、ユーザが指定できる構成であってもよい。
【００３０】
本発明に係る撮影装置では、上記移動方向報知手段は、ユーザが自装置を向けるべき方向を、該方向を示す画像を表示画面に表示させることにより報知するものであることが好ましい。
【００３１】
上記の構成とすることで、ユーザが撮影装置を向けるべき方向が表示される。
【００３２】
その結果、ユーザは撮影装置を向けるべき方向を視覚的に認識することができるというさらなる効果を奏する。なお、ユーザが自装置を向けるべき方向を示す画像としては、例えば矢印、三角形、指差し記号などが挙げられる。
【００３３】
本発明に係る撮影装置では、音出力部をさらに備え、上記移動方向報知手段は、ユーザが自装置を向けるべき方向を、該方向を示す音声を上記音出力部から出力することにより報知するものであってもよい。
【００３４】
上記の構成によれば、ユーザが撮影装置を向けるべき方向が音声によって報知される。
【００３５】
その結果、ユーザが表示画面を見ていなかった場合等でも、撮影装置を向けるべき方向を認識できるというさらなる効果を奏する。
【００３６】
本発明に係る撮影装置では、複数の音出力部をさらに備え、上記移動方向報知手段は、ユーザが自装置を向けるべき方向を、ユーザが自装置向けるべき方向に存在している音出力部から音を発せさせることにより報知するものであってもよい。
【００３７】
上記の構成によれば、ユーザが撮影装置を向けるべき方向から音が報知される。
【００３８】
その結果、ユーザが表示画面を見ていなかった場合等でも、撮影装置を向けるべき方向が認識できるというさらなる効果を奏する。
【００３９】
本発明に係る撮影装置では、方向表示部を備え、上記移動方向報知手段は、ユーザが自装置を向けるべき方向を、該方向を示す画像を上記方向表示部に表示させることにより報知するものであってもよい。
【００４０】
上記の構成によれば、ユーザが撮影装置を向けるべき方向が、方向表示部に表示される。これにより、被写体は表示画面に表示され、撮影装置を向けるべき方向は方向表示部に表示されるので、被写体と撮影装置を向けるべき方向を示す画像とが重なることにより、被写体が確認しにくくなるということを防止でき、かつ、撮影装置を向けるべき方向を表示できる。
【００４１】
その結果、ユーザは、被写体を確実に確認しながら撮影装置を向けるべき方向を認識できるというさらなる効果を奏する。
【００４２】
本発明に係る撮影装置では、複数の方向表示部をさらに備え、上記移動方向報知手段は、ユーザが自装置を向けるべき方向を、ユーザが自装置向けるべき方向に存在している方向表示部を点灯させることにより報知するものであってもよい。
【００４３】
上記の構成によれば、ユーザが撮影装置を向けるべき方向が、その方向に存在する方向表示部が点灯することで示される。これにより、被写体は表示画面に表示され、撮影装置を向けるべき方向は方向表示部で示されるので、被写体と撮影装置を向けるべき方向を示す画像とが重なることにより、被写体が確認しにくくなるということを防止でき、かつ、撮影装置を向けるべき方向を表示できる。
【００４４】
その結果、ユーザは、被写体を確実に確認しながら撮影装置を向けるべき方向を認識できるというさらなる効果を奏する。また、撮影装置を向けるべき方向は、その方向に存在する方向表示部で示されるので、ユーザが直感的に認識できるというさらなる効果を奏する。
【００４５】
本発明に係る撮影装置では、撮影した画像である撮影画像と、上記撮影した画像の一部を拡大した画像である拡大画像との２画像が同時に表示画面に表示され、上記移動方向報知手段は、上記表示画面の撮影画像上に、上記拡大画像に対応する領域を示す表示を行うとともに、被写体位置に印をつけることにより被写体の移動方向を報知するものであってもよい。
【００４６】
上記の構成によれば、画面上に表示されている撮影画像上の被写体の位置に印がつけられて表示される。そして、電子ズーム領域を示す表示も行われる。
【００４７】
これにより、ユーザは、撮影画像上において被写体がどの位置に存在し、被写体位置と電子ズーム領域とがどのような位置関係にあるかが認識できる。その結果、ユーザは被写体の位置が電子ズーム領域から外れそうになった場合、または電子ズーム領域から外れた場合を容易に認識できるというさらなる効果を奏する。
【００４８】
本発明に係る撮影装置では、撮影した画像である撮影画像と、上記撮影画像の一部を拡大した画像である拡大画像との２画像が同時に表示画面に表示され、上記移動方向報知手段は、上記表示画面の拡大画像上の被写体位置に印をつけることにより被写体の移動方向を報知するものであってもよい。
【００４９】
上記の構成によれば、画面上に表示されている拡大画像上の被写体に印がつけられて表示される。
【００５０】
これにより、ユーザは、拡大画像上において被写体がどの位置に存在しているか認識でき、被写体の位置が拡大画像から外れそうになった場合を容易に認識できるというさらなる効果を奏する。
【００５１】
本発明に係る撮影装置では、さらに、被写体の表示画面上での移動速度を検出する移動速度検出手段を備え、上記移動方向報知手段は、被写体の移動速度に応じて、ユーザが自装置を向けるべき方向を報知する表示内容を変化させるものであってもよい。
【００５２】
上記の構成によれば、移動速度検出手段が、表示画面上での被写体の移動速度を検出する。そして、被写体の移動速度に応じて、移動方向報知手段は、ユーザが撮影装置を向けるべき方向を報知する表示内容を変化させることができる。
【００５３】
よって、ユーザは、報知された表示内容から被写体の表示画面上での移動速度を認識することができる。その結果、ユーザは、被写体の表示画面上での移動速度に応じて、撮影装置の向きを変えることができる。
【００５４】
本発明に係る撮影装置では、音出力部と、被写体の表示画面上での移動速度を検出する移動速度検出手段とを備え、上記移動方向報知手段は、被写体の移動速度に応じて、ユーザが自装置を向けるべき方向を報知する上記音出力部からの音出力を変化させるものであってもよい。
【００５５】
上記の構成によれば、移動速度検出手段が、表示画面上での被写体の移動速度を検出する。そして、被写体の移動速度に応じて、移動方向報知手段は、ユーザが撮影装置を向けるべき方向を報知する音出力を変化させることができる。
【００５６】
よって、ユーザは、表示画面を見ていなくても、報知された音出力から被写体の表示画面上での移動速度を認識することができる。その結果、ユーザは、表示画面を見ていなかった場合であっても、被写体の表示画面上での移動速度に応じて、撮影装置の向きを変えることができる。
【００５７】
音出力の変化の例としては、被写体の移動速度が速くなるほど音を大きくする、音を高くする、音出力の間隔を短くする等が挙げられる。
【００５８】
本発明に係る撮影装置では、被写体の表示画面上での移動速度を検出する移動速度検出手段と、上記移動速度検出手段が検出した被写体の移動速度に応じて、上記所定の領域を変更する領域変更手段とを備えるものであってもよい。
【００５９】
上記の構成によれば、移動速度検出手段が検出した被写体の移動速度に応じて、所定の領域が変更される。よって、被写体の移動速度に対応させた所定の領域とすることにより、ユーザに対し、撮影装置を向けるべき方向を報知するタイミングをより的確にすることができる。
【００６０】
例えば、所定の領域として上記報知領域Ａを考えた場合、被写体の移動速度が、所定の速度より速いときは、追尾枠をより小さく（すなわち報知領域Ａを大きく）し、被写体の移動速度が所定の速度より遅いときは、追尾枠をより大きく（すなわち報知領域Ａを小さく）する。なぜなら、被写体の速度が速いときは、被写体が電子ズーム領域から出る時間が短いためである。
【００６１】
これにより、被写体の移動速度が速いときは、被写体の位置が、電子ズーム領域の外枠からある程度離れていても、撮影装置を向けるべき方向を示す報知がなされる。一方、被写体の移動速度が遅いときは、被写体の位置が電子ズーム領域の外枠の近辺にきて、撮影装置を向けるべき方向を示す報知がなされる。すなわち、被写体の速度が速いため、被写体が電子ズーム領域の外枠からある程度離れていても、すぐに電子ズーム領域から被写体が外れるような場合は、ある程度電子ズーム領域の外枠から離れていても、撮影装置を向けるべき方向を報知することができる。一方、被写体の速度が遅いため、電子ズーム領域から被写体が外れるまで時間がかかるような場合は、電子ズーム領域の外枠近辺に被写体が来てから、撮影装置を向けるべき方向を報知することができる。
【００６２】
よって、被写体の移動速度に応じて、的確なタイミングで撮影装置を向けるべき方向を報知することができ、ユーザは、撮影装置を向けるべき方向を的確なタイミングで認識することができる。
【００６３】
本発明に係る撮影装置を制御する撮影装置制御方法は、撮影した画像の一部を拡大する機能を備える撮影装置を制御する撮影装置制御方法であって、追尾対象である被写体の表示画面上における位置である被写体位置を検出する被写体位置検出ステップと、上記被写体位置検出ステップによって検出された被写体が、表示画面上の所定の領域に存在すると、所定の領域に応じて、ユーザが自装置を向けるべき方向を報知する移動方向報知ステップとを含むことを特徴としている。
【００６４】
上記の方法によれば、追尾対象である被写体の画面上の位置である被写体位置を、上記被写体位置検出ステップで検出する。そして、上記検出された被写体位置が、所定の領域に存在すると、上記移動方向報知ステップで、ユーザが自装置を向けるべき方向を報知する。
【００６５】
よって、被写体位置が所定の領域に存在した時に、ユーザは、次に撮影装置をどの方向へ向ければよいかが認識できる。
【００６６】
なお、上記撮影装置は、コンピュータによって実現してもよく、この場合には、コンピュータを上記各手段として動作させることにより上記撮影装置をコンピュータにて実現させる撮影装置の制御プログラム、およびそれを記録したコンピュータ読み取り可能な記録媒体も、本発明の範疇に入る。
【発明の効果】
【００６７】
以上のように、本発明に係る撮影装置は、撮影した画像の一部を拡大する機能を備える撮影装置において、追尾対象である被写体の表示画面上における位置である被写体位置を検出する被写体位置検出手段と、上記被写体位置検出手段によって検出された被写体が、表示画面上の所定の領域に存在すると、所定の領域に応じて、ユーザが自装置を向けるべき方向を報知する移動方向報知手段とを備えているので、ユーザが被写体の画像を電子ズーム枠内に収めることができるように自装置の向きを変えるためのサポート可能であるという効果を奏する。
【発明を実施するための最良の形態】
【００６８】
〔実施の形態１〕
本発明の一実施の形態について図１から図５に基づいて説明すれば、以下のとおりである。図２は、本実施の形態に係る撮影機能を備えた携帯電話機（撮影装置）１の外観を示している。なお、本発明は、携帯電話機に限定されるものではなく、自動車電話機、ＰＨＳ（Personal Handyphone System）端末、ＰＤＡ（Personal Digital Assistant）、ノート型ＰＣ（Personal Computer）などの携帯型通信端末に適用されることができる。また、デジタルスチールカメラ、デジタルビデオカメラなどの画像を撮影する機器にも適用できる。
【００６９】
図２に示されるように、携帯電話機１は、いわゆるクラムシェル型であり、同図に開いた状態で示されている。同図（ａ）は、携帯電話機１を閉じたときに内側となる部分を示しており、この部分は、携帯電話機１を開いたときにユーザが主に利用する側である。そこで、本願では同図（ａ）に示される側を前面側とする。また、同図（ｂ）は、携帯電話機１を閉じたときに外側となる部分を示しており、この部分は、携帯電話機１を開いたときに同図（ａ）の側と反対側となる。そこで、本願では同図（ｂ）に示される側を背面側とする。
【００７０】
図２に示されるように、携帯電話機１は、本体１０２と、蓋体１０３とからなり、本体１０２と蓋体１０３とはヒンジ状に連結している。蓋体１０３には、ユーザが主として利用する表示部５が前面側に設けられている。
【００７１】
本体１０２には、前面側に操作部６が設けられている。操作部６は、携帯電話機１において、動画撮影を行う等の各種設定や機能切替を行うための機能ボタン群１０７と、数字や文字などの記号を入力するための入力ボタン群１０８とから構成されている。そして、本体１０２の背面側に、撮影部２が設けられている。
【００７２】
次に、携帯電話機１の詳細について説明する。図１は、携帯電話機１の要部構成を示している。なお、携帯電話機１の通話に関する機能については、本発明と直接関係がないので、その説明を省略する。
【００７３】
図１に示すように、携帯電話機１は、撮影部２、映像処理部３、制御部４、表示部５、操作部６、大容量メモリ７、ワークメモリ８、プログラムメモリ９、音声処理部１０、スピーカ（音出力部）１１およびマイク１２より構成されている。
【００７４】
そして、制御部４は、被写体位置検出部（被写体位置検出手段）４０１、移動方向報知部（移動方向報知手段）４０２、画像取得部４０４、電子ズーム制御部４０５、切り出し制御部４０６、ズーム画像生成部４０７、方向表示キャラクタ生成部（移動方向報知手段）４０８および画像合成部４０９より構成されている。
【００７５】
次に各部の機能、および各部間のデータの流れについて説明する。
【００７６】
撮影部２は、光学系および撮像素子を備え、光学系を通過した光学像を撮像素子で電気信号に変換する。そして、撮影部２は、変換した電気信号を映像処理部３へ送信する。
【００７７】
映像処理部３は、カメラ信号処理回路およびＡ／Ｄ変換器より構成される。そして、映像処理部３は、撮影部２より受信した電気信号に対してガンマ補正、色調節などのカメラ信号処理を施し、カメラ信号処理により出力されたアナログ信号をデジタル信号に変換する処理を行う。
【００７８】
制御部４は、携帯電話機１で撮影した画像の処理等を行う。具体的な処理の内容については後述する。
【００７９】
表示部５は、制御部４から画像データを受信し、受信した画像データに基づいて画像を表示する。この表示部５としては、画像の表示が可能な表示装置であればどのような装置によって実現されてもよいが、具体的な例としては、液晶表示装置が挙げられる。
【００８０】
操作部６は、ユーザによる録画、再生、停止、ズーム、追尾する被写体の指定等の各種指示を受けつけ、受けつけた指示に基づく信号を制御部４に送信する。操作部６は、上述したように、機能ボタン群１０７と入力ボタン群１０８とから構成されている。
【００８１】
大容量メモリ７は、撮影した画像データ等を格納しているメモリである。なお、大容量メモリ７は、必ずしも携帯電話機１に備えられていなくてもよく、外部の記録装置を接続する形態でもよい。大容量メモリ７の具体例としてはフラッシュメモリ等が挙げられる。
【００８２】
ワークメモリ８は、制御部４が画像データを処理するに当たり、一時的に処理中の画像データを格納するメモリである。ワークメモリ８の具体例としては、一時的な記憶が可能なＲＡＭ（Random Access Memory）が挙げられる。
【００８３】
プログラムメモリ９は、制御部４における処理方法を含むプログラムを格納しているメモリである。プログラムメモリ９の具体例としては、読み出し専用のメモリであるＲＯＭ（Read Only Memory）が挙げられる。
【００８４】
音声処理部１０は、制御部４から受信した音声データを音声信号に変換して、スピーカ１１から音声を出力させる。また、マイク１２から受信した音声信号を音声データに変換する処理を行う。音声処理部１０は具体的には、Ａ／Ｄ変換器、Ｄ／Ａ変換器、アンプ、音声コーデック回路等により構成されている。
【００８５】
スピーカ１１は、音声処理部１０から受信した音声信号を音声に変換して出力する。マイク１２は、入力された音声を音声信号に変換して、音声処理部１０へ送信する。
【００８６】
図３および図４は表示部５に表示される画面を示す。図３は、追尾する被写体を指定する時の画面である。図４は、ユーザが携帯電話機１の撮影部２を向けるべき方向を示している時の画面である。両図は、ともに、上側がズーム画像を示し、下側が標準画像を示している。そして、標準画像の中央部には、標準画像においてズーム画像の内容を含む領域である電子ズーム領域の外枠４０と、電子ズーム領域の外枠４０よりも若干小さい枠である追尾枠４１である。本発明では、表示部５の下半分に表示されている標準画像の外枠と追尾枠４１との間の領域（報知領域）に被写体が存在すると、図４に示すように矢印４２が表示される。
【００８７】
これにより、ユーザは、被写体位置が電子ズーム領域から外れそうになった場合、または電子ズーム領域から外れた場合に、あらかじめ撮影装置をどちらへ向ければ、被写体の画像を電子ズーム領域に収めることができるかが認識できる。その結果、ユーザは被写体の画像が電子ズーム領域に収まるように撮影装置の向きを変えることを容易に行うことができる。
【００８８】
次に、制御部４の機能について説明する。
【００８９】
被写体位置検出部４０１は、ユーザより追尾指定を受けた被写体の画面上における位置を検出する。被写体の画面上の位置の検出は従来技術と同様の方法で行う。追尾する被写体を指定する方法は、表示部５にカーソル３１（図３）を表示させることにより行う。すなわち、ユーザが操作部６を用いてカーソルを移動させ、追尾対象の被写体とカーソルとが画面上で同位置に存在する時に操作部６を操作することにより、被写体を指定する。
【００９０】
また、次の方法によっても、被写体を指定することが可能である。すなわち、表示部５をタッチパネルにし、ユーザが画面上で被写体を指定する。被写体を指定する指定枠を設け、被写体が指定枠に入った時に、ユーザが決定ボタンを押す等の操作を行う。指定領域を設け、指定領域内に所定の時間以上入っている被写体を追尾対象とする。以上のような方法が挙げられる。
【００９１】
移動方向報知部４０２は、追尾している被写体が電子ズーム領域の上記報知領域に存在した場合に、ユーザが携帯電話機１の撮影部２を向けるべき方向を示すデータを方向表示キャラクタ生成部４０８へ送信する。
【００９２】
ここで、ユーザが携帯電話機１の撮影部２を向けるべき方向は、次にように判断する。すわなち、表示画面中央から見て、追尾している被写体の位置の方向をユーザが携帯電話機１の撮影部２を向けるべき方向とする。例えば、図４に示すような場合は、追尾している被写体の位置は、表示画面中央から見て左となるので、移動方向報知部４０２は左方向を示すデータを方向表示キャラクタ生成部４０８へ送信する。
【００９３】
画像取得部４０４は、映像処理部３より受信した画像データを大容量メモリ７やワークメモリ８に送信する。また、被写体位置検出部４０１、切り出し制御部４０６、および画像合成部４０９へも画像データを送信する。
【００９４】
電子ズーム制御部４０５は、ユーザより電子ズームの指示を受けると、撮影している画像について、電子ズームを行うというズーム指示データを、切り出し制御部４０６へ送信する。
【００９５】
切り出し制御部４０６は、電子ズーム制御部４０５からズーム指示データを受信すると、画像取得部４０４から受信した画像データから電子ズームを行う領域を切り出す。そして、切り出した画像データをズーム画像生成部４０７へ送信する。
【００９６】
ズーム画像生成部４０７は、切り出し制御部４０６から受信した画像データを基に画像を拡大する。そして、拡大した画像（ズーム画像）の画像データを画像合成部４０９へ送信する。
【００９７】
方向表示キャラクタ生成部４０８は、移動方向報知部４０２から受信したデータに基づき、ユーザが携帯電話機１の撮影部２を向けるべき方向を示す矢印データを画像合成部４０９へ送信する。
【００９８】
画像合成部４０９は、画像取得部４０４から受信した画像データと、ズーム画像生成部４０７から受信したズーム画像の画像データと、方向表示キャラクタ生成部４０８から受信した矢印データとから合成画像データを生成し、合成画像を表示部５で表示させる。その結果、図４に示すように、撮影した画像である標準画像と、標準画像の一部分である電子ズーム領域を拡大したズーム画像との２つの画像が同時に表示される。そして、追尾している被写体の位置が報知領域に存在する場合は、方向を示す矢印も同時に表示される。なお、方向を示す画像は、矢印に限られるものではなく、三角形や指差し記号など、方向を示すものであればよい。
【００９９】
次に、撮影開始からの処理の流れを図５に基づいて説明する。図５は、制御部４における処理の流れを示すフローチャートである。
【０１００】
まず、電子ズーム制御部４０５は、撮影中にユーザより、電子ズームを行うという指示を受けると（Ｓ４０１にてＹＥＳ）、切り出し制御部４０６が切り出した画像を、ズーム画像生成部４０７が拡大することによりズーム画像を生成する。
【０１０１】
一方、電子ズーム制御部４０５が、撮影中にユーザより、電子ズームを行うという指示を受けなければ（Ｓ４０１にてＮＯ）、画像合成部４０９は、そのまま標準画像のみを表示部５で表示する。
【０１０２】
次に、画像合成部４０９は、表示部５に標準画像とズーム画像との２画像を同時に表示する２画面表示の指示を受けると（Ｓ４０２にてＹＥＳ）、表示部５に標準画像とズーム画像との２画像を表示させる（Ｓ４０３）。そして、標準画面にズーム画面に対応する枠が表示される（Ｓ４０４）。
【０１０３】
一方、２画像を同時に表示する２画面表示の指示を受けなければ（Ｓ４０２にてＮＯ）、表示部５に標準画像を表示するか（Ｓ４４１にてＹＥＳ）、ズーム画像を表示するか（Ｓ４４１にてＮＯ）をユーザに選択させる画面を表示し、選択された指示に基づいて、どちらかの画像を表示部５に表示する。
【０１０４】
次に、被写体位置検出部４０１は、操作部６より被写体を追尾するという指示を受けると（Ｓ４０５にてＹＥＳ）、追尾対象となる被写体を選択させる（Ｓ４０６）。そして、選択された被写体を追尾する（Ｓ４０７）。次に、表示画面上で、該被写体が報知領域に存在すると（Ｓ４０８にてＹＥＳ）、移動方向報知部４０２は、表示部５のズーム画像に方向表示キャラクタ生成部４０８で生成された矢印を、矢印の先が、ユーザが携帯電話機１の撮影部２を向けるべき方向に向くように表示させる（Ｓ４０９）。なお、方向を示す画像は、矢印に限られるものではなく、三角形や指差し記号など、方向を示すものであればよい。その後、Ｓ４０７に戻り、上記動作を繰り返す。
【０１０５】
追尾する被写体の指示を受けなければ（Ｓ４０５にてＮＯ）、そのまま２画像を同時に表示し、追尾の指示を待つ。
【０１０６】
なお、ユーザが携帯電話機１の撮影部２を向けるべき方向を下記のような方法で報知することも可能である。
【０１０７】
すなわち、上記方向表示キャラクタ生成部４０８の代わりに、音声情報生成部（移動方向報知手段）を設け、音声で方向を報知する方法である。
【０１０８】
具体的には、追尾している被写体が追尾枠上に存在した場合、移動方向報知部４０２は音声情報生成部を介してスピーカ１１からユーザが携帯電話機１の撮影部２を向けるべき方向を音声で出力させる。例えば、「右」「上」「左下」等である。
【０１０９】
これにより、ユーザは携帯電話機１の撮影部２を向けるべき方向を認識することができる。
【０１１０】
また、上記方向表示キャラクタ生成部４０８の代わりに、出力音制御部（移動方向報知手段）を設け、さらに、複数のスピーカ１１を設けることで方向を報知する方法も可能である。
【０１１１】
具体的には、追尾している被写体が報知領域上に存在した場合、移動方向報知部４０２は出力音制御部介して、ユーザが携帯電話機１の撮影部２を向けるべき方向に存在するスピーカ１１から音を出力させる。
【０１１２】
これにより、ユーザが携帯電話機１の撮影部２を向けるべき方向から音が出力される。よって、ユーザは、携帯電話機１の撮影部２を向けるべき方向を認識することができる。
【０１１３】
また、図９に示すように、表示部５とは別の表示部に方向を示す文字を表示させることで、方向を報知する方法も可能である。
【０１１４】
図9は、図１に比べて、副表示部（方向表示部）５１および方向表示文字生成部（移動方向報知手段）４１０をさらに含む携帯電話機１の要部構成を示すブロック図である。
【０１１５】
方向表示文字生成部４１０は、移動方向報知部４０２からユーザが携帯電話機１の撮影部２を向けるべき方向を示すデータを受信し、該データが示す方向を表す文字データを副表示部５１へ送信する。
【０１１６】
副表示部５１は、「右」、「左」、「左下」等の方向を示す文字を表示できるものである。そして、副表示部５１は、方向表示文字生成部４１０から受信した文字データが示す文字を表示する。この副表示部５１としては、文字表示が可能なものであれば何でもよいが、例えばＬＥＤ（light emitting diode）、ＬＣＤ（liquid crystal display）が挙げられる。
【０１１７】
これにより、追尾している被写体が追尾枠上に存在した場合、副表示部５１に、ユーザが携帯電話機１の撮影部２を向けるべき方向が、「右」「左」等の文字で表示される。よって、ユーザは、携帯電話機１の撮影部2を向けるべき方向を認識することができる。また、被写体と撮影部２を向けるべき方向を示す画像とが重なって被写体が確認し難くなることを防止できる。
【０１１８】
また、複数の補助表示部５２と、方向表示文字生成部４１０の代わりに方向表示制御部とを設け、上記複数の補助表示部５２により方向を報知する方法も可能である。
【０１１９】
図１０は、表示部５の上下左右の位置に、４つの補助表示部５２を設けた場合を示す図である。なお、ここでは、補助表示部５２を４つ設けた例を示すが、補助表示部５２の数および位置はこれに限られるものではなく、撮影部２を向けるべき方向を報知できるものであればよい。
【０１２０】
具体的には、上記複数の補助表示部５２は、携帯電話機１の撮影部２を向けるべき方向を示す位置である、表示部５の上下左右にそれぞれ設けられる。そして、追尾している被写体が追尾枠上に存在した場合、移動方向報知部４０２は、方向表示制御部を介して、ユーザが携帯電話機１の撮影部２を向けるべき方向に位置する補助表示部５２を点灯させる。
【０１２１】
これにより、ユーザは、携帯電話機１の撮影部２を向けるべき方向を直感的に認識することができる。また、被写体と撮影部２を向けるべき方向を示す画像とが重なって被写体が確認し難くなることを防止できる。なお、上記複数の補助表示部としては、ＬＥＤランプが挙げられる。
【０１２２】
また、追尾している被写体が追尾枠上に存在したときに、携帯電話機１の撮影部２を向けるべき方向を報知するのではなく、常に追尾している被写体に印をつけておき、ユーザが被写体の画面上における位置を認識できるようにすることも可能である。
【０１２３】
具体的には、標準画像上において、追尾している被写体に印をつけるとともに、電子ズーム領域を示す枠を表示させる。これにより、ユーザは、被写体位置と電子ズーム領域とがどのような位置関係にあるかが認識できる。よって、ユーザは被写体の位置が電子ズーム領域から外れそうになった場合、どちらの方向に外れそうなのか認識することができる。したがって、携帯電話機１の撮影部２を向けるべき方向を認識できる。
【０１２４】
さらに、追尾している被写体に印をつけるのは、ズーム画像であってもよい。この場合も、ユーザは被写体の位置と電子ズーム領域とがどのような位置関係にあるかが認識できる。よって、よって、ユーザは被写体の位置が電子ズーム領域から外れそうになった場合、どちらの方向に外れそうなのか認識することができる。したがって、携帯電話機１の撮影部２を向けるべき方向を認識できる。よって、ユーザは被写体の位置が電子ズーム領域から外れそうになった場合、どちらの方向に外れそうなのか認識することができ、携帯電話機１の撮影部２を向けるべき方向を認識できる。
【０１２５】
〔実施の形態２〕
本発明の他の実施の形態について図６から図８に基づいて説明すれば、以下のとおりである。なお、説明の便宜上、前記の実施の形態において示した構成と同一の機能を有する構成には、同一の符号を付し、その説明を省略する。
【０１２６】
本実施の形態に係る携帯電話機１で、図１に示す携帯電話機１と異なる点は、移動速度検出部（移動速度検出手段）４０３が設けられている点である。
【０１２７】
移動速度検出部４０３は、追尾している被写体の表示画面上での移動速度を検出する。そして、検出した移動速度を被写体位置検出部４０１を介して、移動方向報知部４０２へ伝える。移動方向報知部４０２は、追尾している被写体が報知領域に存在した場合に、上記実施の形態と同様に表示部５に矢印を表示する。そして、移動方向報知部４０２は方向表示キャラクタ生成部４０８へ方向を示すデータを送信する場合に、被写体の移動速度を示すデータも同時に送信する。両データを受信した方向表示キャラクタ生成部４０８は、被写体の移動速度に応じて矢印の大きさを変化させて矢印データを作成する。その後、矢印データを画像合成部４０９へ送信する。具体的には、移動速度が速いときは矢印を大きくし、遅い時には矢印を小さくする。図８は、移動速度が速いときの矢印８１を示す。
【０１２８】
これによって、ユーザは被写体の移動速度を視覚的に把握することができ、次にどの程度のスピードで携帯電話機１の撮影部２の向きを変えればよいかが容易に認識することができる。
【０１２９】
ところで、被写体の画面上での移動速度が速い場合、表示部５に矢印を表示するときには既に被写体がズーム画像領域には存在しない可能性がある。そこで、移動方向報知部４０２は、追尾枠４１の大きさを、被写体の移動速度に応じて変化させるようにしてもよい。具体的には、追尾枠変更部（領域変更手段、図示せず）を設け、該追尾枠変更部は、被写体の移動速度が速いときは、追尾枠を小さくし、遅い時は、追尾枠を大きくする。
【０１３０】
これによって、より効果的なタイミングでユーザが携帯電話機１の撮影部２を向けるべき方向を報知することが可能となる。
【０１３１】
次に、本実施の形態における処理の流れを図７に示す。図７は、本実施の形態における処理の流れを示すフローチャートである。
【０１３２】
図７において、上記実施の形態１と異なる点は、Ｓ４０７の被写体位置検出部４０１が被写体の追尾を開始した後に、移動速度検出部４０３が被写体の画面上での移動速度を検出し（Ｓ５０１）、被写体の画面上での移動速度に応じて追尾枠の大きさを変更する（Ｓ５０２）点と、被写体が報知領域上に存在した場合に、移動方向報知部４０２が表示させる矢印の大きさが被写体の画面上での移動速度に応じて設定される（Ｓ５０３）点とである。
【０１３３】
なお、方向を示す画像は、矢印に限られるものではなく、三角形や指差し記号など、方向を示すものであればよい。また、矢印の大きさだけでなく、矢印の形、色を変化させることによって移動速度を表してもよい。
【０１３４】
また、矢印だけでなく、上記実施の形態に記載した音による報知の場合でも、音量を変化させることで被写体の移動速度を表すことが可能である。
【０１３５】
さらに、副表示部５１や上記複数の補助表示部を備えている場合は、表示する文字の大きさ、色、明るさなどを変化させることで被写体の移動速度を表すことも可能である。
【０１３６】
本発明は上述した各実施の形態に限定されるものではなく、請求項に示した範囲で種々の変更が可能であり、異なる実施の形態にそれぞれ開示された技術的手段を適宜組み合わせて得られる実施形態についても本発明の技術的範囲に含まれる。
【０１３７】
最後に、携帯電話機１の各ブロック、特に制御部４は、ハードウェアロジックによって構成してもよいし、次のようにＣＰＵを用いてソフトウェアによって実現してもよい。
【０１３８】
すなわち、携帯電話機１は、各機能を実現する制御プログラムの命令を実行するＣＰＵ（central processing unit）、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである携帯電話機１の制御プログラムのプログラムコード（実行形式プログラム、中間コードプログラム、ソースプログラム）をコンピュータで読み取り可能に記録した記録媒体を、上記携帯電話機１に供給し、そのコンピュータ（またはＣＰＵやＭＰＵ）が記録媒体に記録されているプログラムコードを読み出し実行することによっても、達成可能である。
【０１３９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１４０】
また、携帯電話機１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１４１】
電子ズーム機能を備えた撮影装置において、被写体がズーム枠に収まるようにサポートすることができるので、動画の撮影装置、特に、携帯して撮影する撮影装置に好適である。
【図面の簡単な説明】
【０１４２】
【図１】本発明の実施形態を係る撮影機能を備えた携帯電話機の要部構成を示すブロック図である。
【図２】上記携帯電話機の外観を示す図であり、同図（ａ）は正面図であり、同図（ｂ）は背面図である。
【図３】上記携帯電話機の表示部において、追尾する被写体を指定する画面を示す図である。
【図４】上記表示部において、ユーザが自装置を向けるべき方向を表す表示内容を示す図である。
【図５】上記携帯電話機の制御部における、処理の流れを示すフローチャートである。
【図６】本発明の他の実施の形態を示すものであり、撮影機能を備えた携帯電話機の要部構成を示すブロック図である。
【図７】上記他の実施の形態の携帯電話機の制御部における、処理の流れを示すフローチャートである。
【図８】上記他の実施の形態の携帯電話機の表示部において、ユーザが自装置を向けるべき方向を表す表示内容を示す図である。
【図９】本発明の他の実施の形態を示すものであり、撮影機能を備えた携帯電話機の要部構成を示すブロック図である。
【図１０】本発明の他の実施の形態を示すものであり、複数の補助表示部の例を示す図である。
【符号の説明】
【０１４３】
１  携帯電話機（撮影装置）
２  撮影部
３  映像処理部
４  主制御部
５  表示部
６  操作部
７  大容量メモリ
８  ワークメモリ
９  プログラムメモリ
１０  音声処理部
１１  スピーカ（音出力部）
１２  マイク
５１  副表示部（方向表示部）
５２  補助表示部（方向表示部）
４０１  被写体位置検出部（被写体位置検出手段）
４０２  移動方向報知部（移動方向報知手段）
４０３  移動速度検出部（移動速度検出手段）
４０４  メモリインターフェース部
４０５  電子ズーム制御部
４０６  切り出し制御部
４０７  ズーム画像生成部
４０８  方向表示キャラクタ生成部（移動方向報知手段）
４０９  画像合成部
４１０  方向表示文字生成部（移動方向報知手段）
【図１】
2008278480.tif 000003
【図２】
2008278480.tif 000004
【図３】
2008278480.tif 000005
【図４】
2008278480.tif 000006
【図５】
2008278480.tif 000007
【図６】
2008278480.tif 000008
【図７】
2008278480.tif 000009
【図８】
2008278480.tif 000010
【図９】
2008278480.tif 000011
【図１０】
2008278480.tif 000012